(57)【特許請求の範囲】
【請求項１】
（ａ）芯、（ｂ）連続相、（ｃ）分散相（香料が揮発しないよう密封されたカプセルを除く）、によって構成され、（ｂ）連続相及び（ｃ）分散相はそれぞれ香料を含有し、かつ、（ｂ）連続相が（ｃ）分散相とは異なる香調である香料を含有し、（ｂ）連続相の内部に（ｃ）分散相が点在する構造を有することを特徴とする芳香性蝋燭。
【請求項２】
（ｂ）連続相、及び（ｃ）分散相がそれぞれパラフィンワックス、植物性ワックス、動物性ワックス、合成ワックス及び芳香性天然樹脂から選ばれる１種または２種以上によって構成されることを特徴とする請求項１記載の芳香性蝋燭。
【請求項３】
（ａ）芯に香料を含有することを特徴とする請求項１又は２に記載の芳香性蝋燭。
【請求項４】
（ｃ）分散相の融点が、（ｂ）連続相の融点より高いかもしくは等しいことを特徴とする請求項１〜３のいずれかに記載の芳香性蝋燭。
【請求項５】
異なる香調である香料を含有する分散相を２種類以上有する請求項１〜４のいずれかに記載の芳香性蝋燭。
【発明の詳細な説明】
【技術分野】
【０００１】
本発明は、香りを放出する蝋燭に関する。本発明は、蝋燭からの香りの放出パターンを変調的にさせる構造を有することにより、「慣れ」を起こしにくく長時間にわたり楽しめる香り体験を使用者に提供する。
【背景技術】
【０００２】
香りを楽しむことが一般化しブームになっている現在、さまざまな芳香製品が使用されている。なかでも香料を含有した芳香性蝋燭は、香りを楽しむのみならず、ゆらゆらと揺れる炎の柔らかな光が独特の雰囲気を演出しうるため、人気を集めている。このような背景を受け、芳香性蝋燭に対して多様な香りを楽しみたい、長時間香りを楽しみたい、はっきりとわかる香りを楽しみたいという希望が強まってきている。
【０００３】
しかしながら、従来の芳香性蝋燭は、単一の香りを単調に放出するため、使用者が香りにすぐに慣れて、暫くすると、実際の強さほどには香りの強さを知覚しなくなり、それに全く気付かないこともある。これは「慣れ」と呼ばれる周知の現象である。
【０００４】
このような「慣れ」という問題に対処するため、特許文献１に芳香装置における技術が記載されているが、装置が高価であること、使用に際し電力を消費することなどの欠点がある。また、蝋燭の炎がもつような独特の雰囲気の演出に欠けるという欠点もある。
【先行技術文献】
【特許文献】
【０００５】
【特許文献１】特開２００９−２１３９０１
【発明の概要】
【発明が解決しようとする課題】
【０００６】
本発明は、上記課題に鑑み為されたものであり、蝋燭からの香りの放出パターンを変調的にする構造を有することにより、「慣れ」を起こしにくく長時間にわたり楽しめる香り体験を使用者に提供する芳香性蝋燭である。
【課題を解決するための手段】
【０００７】
前記目的を達成するために、（ａ）芯、（ｂ）連続相、及び（ｃ）分散相によって構成され、（１）；（ｂ）連続相、及び（ｃ）分散相の少なくとも一方、又は（２）；（ａ）芯及び（ｃ）分散相、に香料を含有する。さらに（ｂ）連続相の内部に（ｃ）分散相が点在する構造を有することを特徴とする。
【発明の効果】
【０００８】
本発明の芳香性蝋燭は、安価に製品化でき、使用に際し電力を消費せず、また、ゆらゆらと揺れる炎の柔らかな光が独特の雰囲気を演出しうる。
【発明を実施するための形態】
【０００９】
本発明は、芯、連続相、及び分散相を含む蝋燭であって、連続相の内部に分散相が点在する構造を有する。連続相、及び分散相は、互いに接触するが、蝋燭内の別々の範囲を占有する。従って均質構造でない。
【００１０】
芯とは、綿糸を編んだものなどが用いられ、それ自体が燃焼し、また、毛管現象により溶融した燃料体を吸い上げる役割を有する。
【００１１】
連続相、及び分散相は各々固体である。分散相は、例えば、立方体、球状、又は任意の他の形状でありうる。
【００１２】
分散相の融点は、連続相の融点より高いかもしくは等しいことが好ましい。融点におけるこの区別は、本発明の蝋燭を形成する際に有利であり、形成時、溶融した連続相が分散相と接触する際に、分散相が明らかな溶融および変形をせず存在することが可能となる。すなわち、溶融した連続相のなかへ分散相を添加し、連続相を固化させることで、分散相を点在させることができる。
【００１３】
分散相の融点は連続相の融点よりも高いことがより好ましいが、融点が等しい場合でも、溶融した連続相を蝋燭型へ流し込み、次第に融点以下に冷却されることで、分散相を添加しても溶融及び変形することなく、点在させることが可能となる。
【００１４】
また、溶融した連続相を蝋燭型へ流し込んだ後に、冷却され、次第に固化されていく過程において、分散相を添加するタイミングを調整することで、連続相中の点在位置を調整することが可能である。
【００１５】
連続相、及び分散相のうち少なくとも一方に、香料を含む。若しくは、分散相に香料を含有し、且つ芯又は連続相のどちらか一方に香料を含む。
【００１６】
連続相は香料を含有せず分散相は香料を有する実施形態においては、連続相が溶融していくなかで分散相が溶融したときにのみ香りを放出する。点在する分散相が溶融するタイミングでのみ、不連続的に香りを放出することで、香りの放出を体験する人にとって、「慣れ」が起こりにくくなり、香りを知覚することが可能となる。ここで、分散相が１種類である場合は、単一の香りに対して長時間にわたり「慣れ」が起こりにくくなる。また、それぞれ異なる香料を含有する複数種類の分散相を有する場合は、各分散相が溶融するタイミングでそれぞれ香りが放出される。香調の異なるさまざまな香りが順に放出されるため、異なる香りを知覚し、長時間にわたりより「慣れ」が起こりにくく、香りを楽しむことができる。
【００１７】
連続相が分散相とは異なる香料を含有する実施形態においては、連続相が溶融し、連続相の香りが放出されていくなかで分散相が溶融したときに連続相と分散相がブレンドされた香りを放出する。点在する分散相が溶融するタイミングでのみ、連続相の香りとは変化のある香りを放出することで、香りの放出を体験する人にとって、「慣れ」が起こりにくくなり、香りを知覚することが可能となる。ここで、分散相は、１種類でも２種類以上でも良く、種類が多いことで香調の異なるさまざまなブレンドの香りが順に放出されるため、長時間にわたりより「慣れ」が起こりにくく、香りを楽しむことができる。
【００１８】
連続相は香料を含有し分散相は香料を含有しない実施形態においては、連続相が溶融し、連続相の香りが放出されていくなかで分散相が溶融したときに連続相と分散相がブレンドされた香りを放出する。点在する分散相が溶融するタイミングでのみ、連続相の香りが希釈されることで、香りの放出を体験する人にとって、「慣れ」が起こりにくくなり、香りを知覚することが可能となる。
【００１９】
芯及び分散相は香料を含有し連続相は香料を含有しない実施形態においては、連続相のみが溶融した時は、芯からの香りが希釈される。分散相が溶融したときに、芯と分散相とが同じ香調の香料を含有するときは、香りの放出が多くなる。また、芯と分散相とが異なる香調の香料を含有するときは、ブレンドされた香りを放出する。点在する分散相が溶融するタイミングでのみ、芯の香りが増強又はブレンドされることで、香りの放出を体験する人にとって、「慣れ」が起こりにくくなり、香りを知覚することが可能となる。
【００２０】
連続相及び分散相に用いられる蝋燭の燃料体として機能し得る基材としては、既知のパラフィンワックス、植物性ワックス、動物性ワックス、合成ワックス、及び芳香性天然樹脂などが挙げられる。
【００２１】
本発明の蝋燭に含有する香料としては、植物性香料、動物性香料、香粧品香料に一般的に使用される香料物質及びそれらの溶剤希釈組成物などが挙げられる。例を挙げれば、サンダルウッド油、ラベンダー油、レモングラス油、セージ油、タイム油、及びローズマリー油などの植物性香料、ムスク、及びシベットなどの動物性香料、リナロール、ゲラニオール、及びフェニルエチルアルコールなどのアルコール類、シトラール、及びシトロネラールなどのアルデヒド類、インドール、及びスカトール等の含窒素化合物、フェニルエチルアセテートなどのエステル類といった香料物質が挙げられ、これらはそれぞれ単独で又は２種以上を混合して使用できる。また、希釈組成物の溶剤としては、トリエチルシトレート、ベンジルベンゾエートなどが挙げられる。なお本発明はここに挙げた香料のみに限定されるものではない。
【００２２】
本発明の蝋燭は、芯を有する。蝋燭が単一の芯を含む場合、芯の位置は特に限定されないが、好ましくは蝋燭の中央付近に垂直に位置付けられる。あるいは、この蝋燭は、複数の芯を有してもよい。燃えている際に、この蝋燭は、静かな炎を示し、そして次第に芯の周りに、溶融した相によるプールを形成する。
【００２３】
次に実施例、比較例、及び実験を挙げて本発明をさらに詳細に説明する。本発明はこれらの実施例に限定されるものではない。
【００２４】
実験に用いる香料を含む連続相および分散相は、パラフィンなどの基材を融点以上で加熱溶融し、香料を当該配合量で加え、均一に撹拌した後、自然冷却して調製した。
【００２５】
（実施例１）単一の香りの放出を不連続にした蝋燭
＜連続相＞１３０°パラフィン                  １００重量部
≪分散相≫１５５°パラフィン                    ９０重量部
ローズ系調合香料                      １０重量部
合計                                １００重量部
連続相を６０℃で加熱溶融し、芯を底面の中央付近から垂直に固定した直径３０ｍｍ、高さ１００ｍｍのガラス容器へ、深さ１５ｍｍまで流し込んだ。そこへ、ただちに７ｍｍ角の立方体に切った分散相を添加し、自然冷却させた。この際、分散相は溶融した連続相の底面へ沈んだ。流し込んだ連続相が固化した後、その上へ加熱溶融した連続相を深さ１５ｍｍ分流し込み、ただちに７ｍｍ角の立方体に切った分散相を添加した。この連続相の流し込みと分散相の添加をさらに４回繰り返した。流し込んだ連続相が固化した後、その上へ加熱溶融した連続相を深さ７ｍｍ分流し込み、ただちに７ｍｍ角の立方体に切った分散相を添加し、自然冷却により、固化させた。各分散相は、添加した各連続相の底面に沈み、分散相同士が８ｍｍ間隔の深さで存在する形態となった。
【００２６】
（実施例２）複数の香りを放出する蝋燭
＜連続相＞  １３０°パラフィン                １００重量部
≪分散相１≫１５５°パラフィン                  ９０重量部
ローズ系調合香料                    １０重量部
合計                              １００重量部
≪分散相２≫１５５°パラフィン                  ８５重量部
シトラス系調合香料                  １５重量部
合計                              １００重量部
≪分散相３≫１５５°パラフィン                  ８５重量部
グリーン系調合香料                  １５重量部
合計                              １００重量部
連続相を６０℃で加熱溶融し、芯を底面の中央付近から垂直に固定した直径３０ｍｍ、高さ１００ｍｍのガラス容器へ、深さ１５ｍｍまで流し込んだ。そこへ、ただちに７ｍｍ角の立方体に切った分散相１を添加し、自然冷却させた。流し込んだ連続相が固化した後、その上へ加熱溶融した連続相を深さ１５ｍｍ分流し込み、ただちに７ｍｍ角の立方体に切った分散相２を添加。連続相が固化した後、その上へ加熱溶融した連続相を深さ１５ｍｍ分流し込み、ただちに７ｍｍ角の立方体に切った分散相３を添加。この連続相の流し込みと分散相の添加、自然冷却をさらに３回繰り返した。流し込んだ連続相が固化した後、その上へ加熱溶融した連続相を深さ７ｍｍ分流し込み、ただちに７ｍｍ角の立方体に切った分散相１を添加し、自然冷却により、固化させた。各分散相は、添加した各連続相の底面に沈み、分散相同士が８ｍｍ間隔の深さで存在する形態となった。
【００２７】
（実施例３）複数の香りを放出する蝋燭
＜連続相＞  １３０°パラフィン                １００重量部    
≪分散相１≫１５５°パラフィン                  ９０重量部
ローズ系調合香料                    １０重量部
合計                              １００重量部
≪分散相２≫１５５°パラフィン                  ８５重量部
シトラス系調合香料                  １５重量部
合計                              １００重量部
≪分散相３≫１５５°パラフィン                  ８５重量部
グリーン系調合香料                  １５重量部
合計                              １００重量部
連続相を６０℃で加熱溶融し、芯を底面の中央付近から垂直に固定した直径３０ｍｍ、高さ１００ｍｍのガラス容器へ、深さ１５ｍｍ程度まで流し込んだ。そこへ、ただちに７ｍｍ角の立方体に切った分散相１および分散相２を添加し、自然冷却させた。流し込んだ連続相が固化した後、その上へ加熱溶融した連続相を深さ１５ｍｍ分流し込み、ただちに７ｍｍ角の立方体に切った分散相２を添加し、連続相が固化しつつある時に、分散相３を添加した。この際、連続相１５ｍｍ分の底面部分に分散相２が沈み、中間部分に分散相３が沈んだ。この連続相の流し込みと複数の分散相の添加、自然冷却をさらに４回繰り返した。流し込んだ連続相が固化した後、その上へ加熱溶融した連続相を深さ７ｍｍ分流し込み、ただちに７ｍｍ角の立方体に切った分散相２および３を添加し、自然冷却させた。この結果、蝋燭の中の分散相同士は、ランダムな深さで点在する形態となった。
【００２８】
（実施例４）単一の香りにさまざまなアレンジが加わって放出される蝋燭
＜連続相＞  １３０°パラフィン                  ９５重量部
ローズ系調合香料                      ５重量部
合計                              １００重量部
≪分散相１≫１５５°パラフィン                  ８５重量部
シトラス系調合香料                  １５重量部
合計                              １００重量部
≪分散相２≫１５５°パラフィン                  ８５重量部
グリーン系調合香料                  １５重量部
合計                              １００重量部
連続相を６０℃で加熱溶融し、芯を底面の中央付近から垂直に固定した直径３０ｍｍ、高さ１００ｍｍのガラス容器へ、深さ１５ｍｍまで流し込んだ。そこへ、ただちに７ｍｍ角の立方体に切った分散相１を添加し、自然冷却させた。流し込んだ連続相が固化した後、その上へ加熱溶融した連続相を深さ１５ｍｍ分流し込み、ただちに７ｍｍ角の立方体に切った分散相２を添加した。この連続相の流し込みと分散相の添加、自然冷却をさらに４回繰り返した。各分散相は、添加した各連続相の底面に沈み、分散相同士が８ｍｍ間隔の深さで存在する形態となった。
【００２９】
（比較例１）
１３０°パラフィン                  ９５重量部
ローズ系調合香料                      ５重量部
合計                              １００重量部
６０℃でパラフィンを加熱溶融後、ローズ系調合香料を添加し、均一に撹拌した。芯を底面の中央付近から垂直に固定した直径３０ｍｍ、高さ１００ｍｍのガラス容器へ深さ９０ｍｍまで流し込み、自然冷却させた。
【００３０】
（実験）これら実施例１〜４、比較例１に関して、室内の同条件下で芯に点火し、それぞれ１時間連続使用し、一定時間にて専門パネラー５名にて評価した。また、香りの変化などを感じたことの記載も行った。
（判定）蝋燭から放出される香りを
評価点  ３：強く感じる
２：明らかに感じる
１：かすかに感じる
０：感じない
とし、専門パネル５名の平均値を評価値とした。
（評価）
評価値によって◎、○、△、×にて評価し、表１に示す。
◎：２．０以上
○：１．５以上２．０未満
△：１．０以上１．５未満
×：１．０未満
【００３１】
【表１】
0005554107.tif 000002
【００３２】
比較例１は、点火１５分後は◎であったが、３０分後には○となり、４５分後に△、６０分後以降は×となった。
【００３３】
これに対して、実施例１は、比較例１のように連続３０分間で◎から△になるが、４５分間隔で再び知覚がみられた。比較例１と同じ単一の香りであるが、放出が４５分おきに不連続であることで、香りへの「慣れ」が生じにくく、香りへの知覚を改善したことがわかる。
【００３４】
実施例２は、点火１５分後にローズ系の香りを知覚し、６０分後に、グリーン系の香り、  １０５分後にローズ系の香り、１５０分後にグリーン系の香りをそれぞれ知覚した。それぞれの香りを知覚したときに◎の評価を得られた。異なる香りを不連続に放出することで、それぞれの香りをはっきりと知覚することが可能であり、さまざまな香りを楽しめる形態であった。
【００３５】
実施例３においては、実施例２のようにグリーン系、シトラス系、ローズ系の香りをそれぞれ知覚するのに加え、そのうちの２つ以上の相が同時に溶融し、ブレンドされた香りを知覚することもあった。実施例２と同様の相を用いながら、相同士がブレンドされ、さらに多種類の香りを知覚する楽しみが増えた。
【００３６】
実施例４に関しては、ローズ系の香りを中心として知覚していたが、６０分後にグリーン系の香りとのブレンド、１０５分後にシトラス系の香りとのブレンドへの変化を知覚し、そのタイミングで知覚の度合は強く評価された。比較例１よりも「慣れ」を生じにくく、また、単一の香りにアレンジが加わることにより、香りの変化を楽しむことができた。
【００３７】
以上の結果より、実施例１〜４のいずれも比較例１と比べ、香りに対する知覚を改善したことが明らかとなった。
【００３８】
（実施例５）単一の香りの放出を不連続にした蝋燭
＜連続相＞木蝋                                １００重量部
≪分散相≫キャンデリラワックス                  ９０重量部
ラベンダー油                          １０重量部
合計                                １００重量部
連続相を６０℃で加熱溶融し、芯を底面の中央付近から垂直に固定した直径３０ｍｍ、高さ１００ｍｍのガラス容器への底面へ直径７ｍｍの球状に成型した分散相を添加し、そこへ連続相をゆっくりと１５ｍｍ分流し込んだ。流し込んだ連続相が固化した後、その上へ分散相を添加し、加熱溶融した連続相を深さ１５ｍｍ分流し込んだ。この分散相の添加と連続相の流し込みをさらに４回繰り返した。流し込んだ連続相が固化した後、その上へ加熱溶融した連続相を深さ７ｍｍ分流し込み、ただちに直径７ｍｍの球状に成型した分散相を添加し、自然冷却により、固化させた。各分散相は、添加した各連続相の底面に沈み、分散相同士が８ｍｍ間隔の深さで存在する形態となった。
【００３９】
（実施例６）単一の香りの放出を不連続にした蝋燭
＜連続相＞木蝋                                １００重量部
≪分散相≫木蝋                                  ９０重量部
ラベンダー油                          １０重量部
合計                                １００重量部
連続相を６０℃で加熱溶融し、芯を底面の中央付近から垂直に固定した直径３０ｍｍ、高さ１００ｍｍのガラス容器へ、深さ１５ｍｍまで流し込んだ。連続相のガラスとの接触面が固化し始めた時に、直径３〜８ｍｍの略球状に成型した分散相を添加し、自然冷却した。流し込んだ連続相が完全に固化した後、その上へ加熱溶融した連続相を深さ１５ｍｍ分流し込み、連続相とガラスとの接触面が固化し始めた時に、直径３〜８ｍｍの略球状に成型した分散相を添加した。この連続相の流し込みと分散相の添加をさらに４回繰り返した。各分散相は、添加した各連続相の中間に沈み、分散相同士が様々な間隔で存在する形態となった。
【００４０】
（実施例７）単一の香りの放出を不連続にした蝋燭
＜連続相＞木蝋                                  ９５重量部
ラベンダー油                            ５重量部
合計                                １００重量部
≪分散相≫木蝋                                １００重量部
連続相を６０℃で加熱溶融し、芯を底面の中央付近から垂直に固定した直径３０ｍｍ、高さ１００ｍｍのガラス容器へ、深さ１５ｍｍまで流し込んだ。連続相の表面が固化し始めた時に、１片７ｍｍの正四面体に成型した分散相を添加し、自然冷却した。流し込んだ連続相が固化した後、その上へ加熱溶融した連続相を深さ１５ｍｍ分流し込み、連続相の表面が固化し始めた時に、１片７ｍｍの正四面体に成型した分散相を添加。この連続相の流し込みと分散相の添加をさらに４回繰り返した。各分散相は、添加した各連続相の底面に沈み、分散相同士が８ｍｍ間隔の深さで存在する形態となった。
【００４１】
（実施例８）単一の香りにさまざまなアレンジが加わって放出される蝋燭
＜連続相＞木蝋                                １００重量部
≪分散相≫木蝋                                  ９５重量部
ラベンダー油                            ５重量部
合計                                １００重量部
連続相を６０℃で加熱溶融し、予めシトラス系調合香料を含浸させておいた芯を底面の中央付近から垂直に固定した直径３０ｍｍ、高さ１００ｍｍのガラス容器へ、深さ１５ｍｍまで流し込んだ。連続相の表面が固化し始めた時に、直径１０ｍｍの球状に成型した分散相を添加し、自然冷却した。流し込んだ連続相が固化した後、その上へ加熱溶融した連続相を深さ１５ｍｍ分流し込み、連続相の表面が固化し始めた時に、直径１０ｍｍの球状に成型した分散相を添加。この連続相の流し込みと分散相の添加をさらに４回繰り返した。各分散相は、添加した各連続相の底面に沈み、分散相同士が８ｍｍ間隔の深さで存在する形態となった。
【００４２】
（比較例２）
木蝋                                ９５重量部
ラベンダー油                          ５重量部
合計                              １００重量部
６０℃で木蝋を加熱溶融後、ラベンダー油を添加し、均一に撹拌した。芯を底面の中央付近から垂直に固定した直径３０ｍｍ、高さ１００ｍｍのガラス容器へ深さ９０ｍｍまで流し込み、自然冷却した。
【００４３】
実施例５〜８と比較例２とに関して先述と同様の実験を行ったところ、実施例５〜８の全てが比較例２よりも「慣れ」が起こりにくく、長時間香りを楽しめるという良好な結果が得られた。